(57)【要約】【課題】  洗面化粧台や流し台に取り付けた水栓の接続部，止水栓，配管等から漏水が発生しても、漏水の発生を確実に居住者に知らせることができ、且つ、安価な費用で設置できる漏水検知装置を提供する。【解決手段】  カウンター２又は壁面に水栓９が取り付けられ、キャビネット３の内部で水栓９の連結管１２が止水栓１３に接続される洗面化粧台１又は流し台において、前記水栓９，連結管１２，止水栓１３，配管１４の接続部の下方の何れかに水受器具１５を配置し、この水受器具１５には水が触れると煙が発生する発煙剤２２を設けた。【選択図】  図１
2005146549.tif 000002
【特許請求の範囲】
【請求項１】
カウンター又は壁面に水栓が取り付けられ、キャビネットの内部で水栓の連結管が止水栓に接続される洗面化粧台又は流し台において、前記水栓，連結管，止水栓，配管の接続部の下方の何れかに水受器具を配置し、この水受器具には水が触れると煙が発生する発煙剤を設けたことを特徴とする洗面化粧台，流し台における漏水検知装置。
【請求項２】
カウンター又は壁面に水栓が取り付けられ、キャビネットの内部で水栓の連結管が止水栓に接続される洗面化粧台又は流し台において、前記止水栓に接続された配管に水受器具を配置し、この水受器具には水が触れると煙が発生する発煙剤を設けたことを特徴とする洗面化粧台，流し台における漏水検知装置。
【発明の詳細な説明】
【技術分野】
【０００１】
本発明は、カウンターや壁面に水栓が取り付けられた洗面化粧台，流し台に関する。
【背景技術】
【０００２】
従来、洗面化粧台や流し台では、キャビネットの内部で、カウンター又は壁面に取り付けられた水栓の取付部や配管，止水栓の接続部から、締付不足や施工ミス等により漏水が発生して、床面等が水浸しになって被害が拡大しないように水受皿が設置されている。しかし、水受皿はキャビネットの内部に配置されているため扉を開けないと目視することができず、水受皿に水滴が溜まっているかを定期的に点検しなければ、漏水が発生しているかどうかを発見することができなかった。これに対し、水栓の取付部や配管，止水栓の接続部から漏水が発生して、水受皿に水が溜まったことを居住者に知らせる漏水検知装置に特許文献１のものがある。
【０００３】
この特許文献１について簡単に説明すると、カウンターに取り付けられた水栓の接続部及び止水栓の下部には、略箱形状の水受皿が設置されている。水栓の取付部，又は止水栓と連結管，配管の接続部で漏水が発生すると、水は水受皿に落下し、該水受皿の傾斜面から水溜部に流れる。この水溜部には、水の存在を検知するセンサーが取り付けられており、このセンサーによりコードを介して警報器に検知信号を出力し、警報器はブザー等による警報音又はランプにより居住者に漏水の発生を知らせることができ、警報器の警告により居住者は漏水の発生に気づき、速やかに漏水箇所の点検，修理に取り掛かることができるものである。
【０００４】
【特許文献１】特開２００１−６１６８４号公報
【発明の開示】
【発明が解決しようとする課題】
【０００５】
前記漏水検知装置を設置するには、ブザー等の警報器を購入しなければならないが、警報器は高価であるため、居住者がこの警報器を購入するには経済的な負担が大きいものであった。また、警報器を洗面化粧台や流し台の扉等に取り付ける作業は面倒で、手間と時間のかかるものであった。さらに、警報器やセンサーが故障している場合には、漏水の発生を発見することができなかった。
【０００６】
この発明は、このような従来の技術に存在する問題点に着目したものであり、その目的は、洗面化粧台や流し台に取り付けられた水栓の接続部，止水栓，配管等から漏水が発生しても、漏水の発生を確実に居住者に知らせることができ、且つ、安価な費用で設置できる漏水検知装置を提供するものである。
【課題を解決するための手段】
【０００７】
上記目的を達成するため、本発明では、カウンター又は壁面に水栓が取り付けられ、キャビネットの内部で水栓の連結管が止水栓に接続される洗面化粧台又は流し台において、前記水栓，連結管，止水栓，配管の接続部の下方の何れかに水受器具を配置し、この水受器具には水が触れると煙が発生する発煙剤を設けたものである。
【発明の効果】
【０００８】
本発明によると、水栓の取付部や配管，止水栓の接続部の何れかから漏水した水が水受器具に溜まって水と発煙剤とが接触すると、発煙剤は化学反応を起こして煙が発生するので、この煙により居住者は視覚的にも漏水の発生を確実に知ることができる。また、水受器具の設置にかかる費用が安価であり、既存の配管に後付けすることも容易にできる。
【発明を実施するための最良の形態】
【０００９】
以下、本発明の実施の形態を図に基づいて詳細に説明する。
【実施例１】
【００１０】
図１に示すように、洗面化粧台１は、湯水を混合する水栓９が取り付けられたカウンター２と、該カウンター２が上部に取り付けられたキャビネット３と、カウンター２の略中央に形成された洗面ボウル４とを備えている。また、洗面ボウル４の底部には排水口５が設けられ、該排水口５はキャビネット３の内部に設置された排水管６と連通し、洗面ボウル４に溜まった水は排水管６から外部へ排出される。
【００１１】
前記水栓９は、本体９ａの下部に形成された元ねじ部１０をカウンター２に穿設された取付孔７に上方から挿入した後、キャビネット３の内部から固定ナット１１を元ねじ部１０に螺着することでカウンター２に取り付けられている。また、水栓９の元ねじ部１０には、簡単に曲げることができ、且つ、耐圧性及び耐熱性に優れた材質からなる湯用，水用の連結管１２，１２がそれぞれ接続されている。
【００１２】
前記湯用，水用の各連結管１２，１２は、キャビネット３の内部で止水栓１３，１３にそれぞれ接続されており、該止水栓１３，１３は湯用，水用の各配管１４，１４とそれぞれ接続し、各配管１４，１４の他端はキャビネット３の外部で給水源，給湯源と連通している。
【００１３】
前記止水栓１３の下方には、キャビネット３の基板８上に水受器具１５が配置されている。該水受器具１５は、水栓９の元ねじ部１０と連結管１２との接続部，連結管１２と止水栓１３との接続部，止水栓１３と配管１４との接続部で漏水が発生した場合に、キャビネット３内に落下する水を受けるものである。
【００１４】
前記水受器具１５は合成樹脂等で形成されており、その形状は一方を開口した箱型形状で、落下してきた水を受ける水溜部１６と、発煙剤２２を収容する仕切部１７とから構成されている。該仕切部１７は、図２及び図３に示すように、水受器具１５の上面を延出した頂面板１８と、該頂面板１８の端部から垂下した側面板１９と、該側面板１９の最下端から頂面板１８と平行方向で、水溜部１６の側面に接しない短い長さの底面板２０とから形成されており、その形状は、断面視略コ字型である。なお、仕切部１７は水溜部１６に複数個（本実施例では４ヶ所）形成されている。また、仕切部１７と水溜部１６とにより囲まれて形成された収容室２１には発煙剤２２が収容されている。
【００１５】
前記発煙剤２２は収容室２１に収容されており、漏水により水溜部１６に落下した水が発煙剤２２に接触すると、発煙剤２２は化学反応を起こして煙を発生するものである。この発煙剤として、例えば塩化チタンを使用する。塩化チタンは一般の発煙剤としてよく使用されているため、詳しい説明は省略する。
【００１６】
以上の構成において、まず水受器具１５を止水栓１３の下方で、キャビネット３内の基板８上に配置しておく。水栓９の元ねじ部１０，連結管１２，止水栓１３，配管１４の何れかの接続部から漏水が発生すると、その水は止水栓１３の下方の水受器具１５に落下し、水溜部１６に溜まっていく。この水が溜まって水位が上昇していくと、仕切部１７の底面板２０と水溜部１６の側面との間に形成された隙間からも水が上昇し、水と発煙剤２２とが接触する。この時、発煙剤２２は水と接触することにより化学反応を起こして煙を発生し、この煙がキャビネット３の内側及び外側へ噴き出していく。
【００１７】
居住者は、キャビネット３の外部に噴き出した煙を発見することにより、キャビネット３内の何れかの接続部で漏水が発生していることを知ることができ、即座に漏水箇所の点検，修理に取り掛かることができる。
【実施例２】
【００１８】
図４乃至図８は本発明の別の実施例であり、水受器具を配管の途中に取り付けたものである。なお、同一物品には同一符号を用い、詳細な説明は省略する。
【００１９】
図４に示すように、湯用，水用の各連結管１２，１２は、キャビネット３の内部で止水栓１３，１３に接続されており、該止水栓１３，１３は湯用，水用の各配管１４，１４とそれぞれ接続し、各配管１４，１４の他端はキャビネット３の外部で給水源，給湯源と連通している。なお、該配管１４はキャビネット３の基板８から下方へと配設されている。また、止水栓１３の下方で、配管１４の途中には水受器具３５が設置されている。
【００２０】
前記水受器具３５は合成樹脂製の円筒形で、図５及び図６に示すように、略半円筒形に形成された第１分割体３６と、略半円筒形に形成された第２分割体４４とからなり、両分割体３６，４４は互いに向かい合う開口縁に形成されたヒンジ３７を中心として回転自在に連結されている。なお、水受器具３５は合成樹脂製であるので、装飾用のメッキを施したり着色を施すことで、美観を高めることができる。
【００２１】
前記第１分割体３６は略半円筒形で、ヒンジ３７の他端側の開口縁から開口方向に向け、水平方向に３枚の横板３８を延出し、中央の横板３８は先端外周面に係止爪３９が形成されている。また、第１分割体３６の内周面には、内側に向かって突出した仕切部５１が形成されている。さらに、第１分割体３６の底面は、内側に向かって突出して水溜部４０が形成され、中央には配管１４が挿通可能な挿通孔４１が形成されており、該挿通孔４１の内周面には、内側に向かって突起４２が形成されている。なお、挿通孔４１の外周には傾斜面４３が形成されており、漏水により配管１４を伝わって移動した水は、この傾斜面４３により水溜部４０に誘導される。
【００２２】
前記第２分割体４４は、第１分割体３６と同様の略半円筒形で、両分割体３６，４４を重ね合わせると略円筒形となる形態である。該第２分割体４４の周面には、前記係止爪３９が弾力的に係合される切欠４５が穿設されている。また、第２分割体４４の内周面には、第１分割体３６と同一の仕切部５１が内側に向かって突出して形成されている。さらに、第２分割体４４の底面は、内側に向かって突出して水溜部４６が形成され、中央には配管１４が挿通可能な挿通孔４７が形成されており、該挿通孔４７の内周面には、内側に向かって突起４８が形成されている。なお、挿通孔４７の外周には傾斜面４９が形成されており、漏水により配管１４を伝わって移動した水は、この傾斜面４９により水溜部４０に誘導される。
【００２３】
前記仕切部５１は、分割体３６，４４の上面を延出した頂面板５２と、該頂面板５２の端部から垂下した側面板５３と、該側面板５３の最下端から頂面板５２と平行方向で、分割体３６，４４の側面に接しない短い長さの底面板５４とから形成されており、その形状は断面視略コ字型である。なお、仕切部５１は各分割体３６，４４に複数個（本実施例では２ヶ所）形成されている。また、仕切部５１は、両分割体３６，４４からなる水受器具３５を配管１４に取り付けた際に、仕切部５１の側面板５３と配管１４の外周面との間に十分な隙間５５が生じるように形成されている。さらに、仕切部５１と各分割体３６，４４とにより囲まれて形成された収容室５６には発煙剤５７が収容されている。
【００２４】
前記発煙剤５７は収容室５６に収容されており、発煙剤５７と漏水により各分割体３６，４４の水溜部４０，４６に溜まった水とが接触すると、発煙剤５７は化学反応を起こして煙を発生するものである。
【００２５】
なお、本実施例では第１分割体に係止爪を形成し、第２分割体に切欠を穿設しているが、第１分割体に切欠を穿設し、第２分割体に係止爪を形成してもよい。また、係止爪と切欠の個数は限定されず、複数個設けてもよい。さらに、第１分割体と第２分割体の固定手段は本実施例に限定されるものではなく、例えばビスを用いて結合したり、磁石を用いてもよいが、本実施例のように係止爪が切欠に係合するようにすれば、両分割体の結合及び解除を容易に行うことができる。
【００２６】
以上の構成において、水受器具３５を配管１４に取り付けるには、図７に示すように、水受器具３５の第１分割体３６を配管１４の側方から覆い、ヒンジ３７を軸として第２分割体４４を回転させて、配管１４の外周を側方から覆うように第１分割体３６に重ね合わせ、第１分割体３６の係止爪３９を第２分割体４４の切欠４５に弾力的に係止すれば、図８に示すように両分割体３６，４４は結合され、配管１４の外周を覆うようにして装着することができる。この時、各分割体３６，４４の挿通孔４１，４７の内周面に形成された突起４２，４８が、配管１４の外周面に食い込むことにより、水受器具３５を配管１４の外周にがたつくことなく保持した状態となる。
【００２７】
水栓９の元ねじ部１０，連結管１２，止水栓１３，配管１４の何れかの接続部から漏水が発生すると、その水は配管１４等を伝わって下方へ移動し、図４に示すように、各分割体３６，４４の仕切部５１，５１と配管１４の外周面との間に形成された隙間５５，５５を通過し、傾斜面４３，４９から各分割体３６，４４水溜部４０，４６に誘導される。
【００２８】
この水が溜まって水位が上昇していくと、仕切部５１の底面板５４と各水溜部４０，４６との間に形成された隙間からも水が上昇し、水と発煙剤５７とが接触する。この時、発煙剤５７は水と接触することにより化学反応を起こして煙を発生し、この煙がキャビネットの内部及び外部へ噴き出していく。
【００２９】
居住者は、キャビネット３の外部に噴き出した煙を発見することにより、キャビネット内の何れかの接続部で漏水が発生していることを知ることができ、即座に漏水箇所の点検，修理に取り掛かることができる。
【００３０】
なお、本実施例では、漏水検知装置を設置した水栓は洗面化粧台に設けたが、これに限定することなく、例えば、流し台に用いてもよい。設置された水栓もカウンターではなく、壁面に取り付けてあってもよい。また、水栓も２ハンドル式やサーモスタット式，又、シャワー引出式水栓であってもよい。
【図面の簡単な説明】
【００３１】
【図１】本発明の漏水検知装置を設置した洗面化粧台の側断面図である。
【図２】漏水検知装置の斜視図である。
【図３】漏水検知装置の断面図である。
【図４】本発明の別の実施例で、配管に漏水検知装置を取り付けた洗面化粧台の側断面図である。
【図５】漏水検知装置の斜視図である。
【図６】漏水検知装置の斜視図である。
【図７】配管に漏水検知装置を取り付ける前の状態の斜視図である。
【図８】配管に漏水検知装置を取り付けた状態の斜視図である。
【符号の説明】
【００３２】
１：        洗面化粧台
２：        キャビネット
８：        基板
９：        水栓
１０：      元ねじ部
１２：      連結管
１３：      止水栓
１４：      配管
１５，３５：水受器具
２２，５７：発煙剤
【図１】
2005146549.tif 000003
【図２】
2005146549.tif 000004
【図３】
2005146549.tif 000005
【図４】
2005146549.tif 000006
【図５】
2005146549.tif 000007
【図６】
2005146549.tif 000008
【図７】
2005146549.tif 000009
【図８】
2005146549.tif 000010